(57)【要約】【課題】何処の縦筋に対してでも素手で簡単に取り付けることができて、その取り付け位置の調整も容易に行うことができ、構造を簡単にして安価に提供することもできる天端出し補助具を提供すること。【解決手段】縦筋嵌合部１１に、コンクリート構造物を構成する縦筋３０が嵌合される縦筋取付部１１ａを形成するとともに、この縦筋取付部１１ａの側面に形成した開口１１ｂから、縦筋３０を嵌合し得るようにし、端部１３ａが、表示具取付部１２の穴１２ａ内に対して陥没可能となるレベル表示具押え部１３を、表示具取付部１２の一部に形成したこと。【選択図】図１
2015168988.tif 000002
【特許請求の範囲】
【請求項１】
レベル表示具を縦筋嵌合部に形成した表示具取付部の穴に対して位置調整可能に取り付けて、前記レベル表示具によって天端位置を示すようにした天端出し補助具であって、
前記縦筋嵌合部に、コンクリート構造物を構成する縦筋が嵌合される縦筋取付部を形成するとともに、この縦筋取付部の側面に形成した開口から、前記縦筋を嵌合し得るようにし、
端部が、前記表示具取付部の穴内に対して陥没可能となるレベル表示具押え部を、前記表示具取付部の一部に形成したことを特徴とする天端出し補助具。
【請求項２】
前記開口の開口端縁の一方に、前記表示具取付部の一側面から前記縦筋を導入するための導入面を形成し、他方の開口端縁に、前記縦筋を案内する案内片を形成したことを特徴とする請求項１に記載の天端出し補助具。
【請求項３】
前記レベル表示具を位置調整可能に挿通する前記表示具取付部の穴内に、前記レベル表示具に形成したネジ山間に係合することになるレベル表示具係止突起を形成して、
前記レベル表示具を回転させたとき、前記レベル表示具係止突起を基点として、前記レベル表示具が螺進螺退可能となるようにしたことを特徴とする請求項１〜請求項２のいずれかに記載の天端出し補助具。
【発明の詳細な説明】
【技術分野】
【０００１】
本発明は、天端出し補助具に関し、特に、コンクリートによって構成される基礎や構築物の表面の水平を出すために、鉄筋を利用して取り付けられる天端出し補助具に関するものである。
【背景技術】
【０００２】
コンクリート構築物、中でも基礎は、その上に土台を支持するものであり、しかも土台を完全な水平にしなければならないから、その表面（天端）を水平となるように構築しなければならない。一方、基礎のための型枠内に打設される生コンクリートは、流動性がそれ程良くないため、打設しただけでは天端が水平とはならない。このため、打設後の生コンクリートの表面に、セメント量が多く流動性の高い「レベラー」と呼ばれる一種のモルタルをさらに流し込んで、構築された基礎の天端が完全な水平となるような施工がなされている。
【０００３】
以上のような基礎を構築するために、生コンクリートやレベラーを打設するにあたって使用されているのが、天端出し補助具である。この天端出し補助具は、その複数を型枠内に位置決め設置して、その各一部を目印にすることによって、打設すべき生コンクリートやレベラーの表面を規定するものである。
【０００４】
また、この天端出し補助具は、打設された生コンクリート内に立設されるものもあるが、一般的には、作業時に位置がズレないようにするために、型枠内の鉄筋に保持させるタイプのものが、例えば特許文献１や２等において提案されている。
【先行技術文献】
【特許文献】
【０００５】
【特許文献１】特開２００４−１９７５０４号公報、要約
【特許文献２】特開２００４−２８５６０７号公報、要約
【特許文献３】特開２００５−４８５１０号公報、要約
【発明の概要】
【発明が解決しようとする課題】
【０００６】
特許文献１には、「基礎の強度を担保すると共に、天端出し作業の効率性の向上を図る」ことを目的とした「天端出し方法及び天端出し補助具、並びに鉄筋」が、提案されている。この「天端出し方法及び天端出し補助具、並びに鉄筋」は、「鉄筋を把持する鉄筋把持部２と調整ネジ体を略鉛直になる様に支持する調整ネジ体支持部３とを有する天端出し補助具１であって、調整ネジ体支持部は、調整ネジ体を進退可能な状態で螺合する受ネジ穴１１を備える」という構成を有するものである。
【０００７】
特に、この特許文献１で提案されている「天端出し補助具１」は、調整ネジ体支持部を、調整ネジ体が進退可能な状態で螺合する受ネジ穴１１を備えるものとしなければならないものとなっているが、この受ネジ穴１１を合成樹脂の一体成形物に備えるようにすることは非常に困難である。この受ネジ穴１１を有する天端出し補助具１を、例えば、互いに開閉される上型及び下型だけで射出成形することは、受ネジ穴１１が複雑な「アンダーカット部」となって、コストアップした天端出し補助具１となるからである。
【０００８】
一方、特許文献２には、「容易であると共に正確なレベル出しを行うことができるコンクリートの水平面出し方法及び水平面出し補助具、並びに鉄筋用スペーサを提供する」を目的とした「コンクリートの水平面出し方法及び水平面出し補助具、並びに鉄筋用スペーサ」が、提案されている。
【０００９】
この特許文献２の「コンクリートの水平面出し方法」は、「調整ネジ体９を略鉛直となる様に鉄筋６に取り付けられた冶具１に取り付け、調整ネジ体の頭部が所定位置となる様に調整を行う。その後、型枠によって形成された打設空間に所定位置に調整された調整ネジ体の頭部の位置までコンクリートを充填する」という構成を有するものであるが、「調整ネジ体９を略鉛直となる様に鉄筋６に取り付けられた冶具１」は、「基準面から所定の間隔をおいて鉄筋を支持する鉄筋用スペーサと係合する係合部と調整ネジ体を略鉛直になる様に支持する調整ネジ体支持部とを有する水平面出し補助具であって、前記調整ネジ体支持部は、調整ネジ体を進退可能な状態で螺合する受ネジ穴を備える」ものである。
【００１０】
この特許文献２の「水平面出し補助具」についても、調整ネジ体支持部が、調整ネジ体を進退可能な状態で螺合する受ネジ穴を備えるものであるから、このジ穴１１が複雑な「アンダーカット部」となって、上記特許文献１のそれと同様に、合成樹脂を材料とした射出成形する場合に、非常にコストアップしたものとなってしまう、という問題を含んでいる。
【００１１】
また、上記特許文献１でも、特許文献２でも、鉄筋を把持する「鉄筋把持部２」の内側に、鉄筋のリブと係合する「係合部７」を形成しなければならないものとなっているため、この「係合部７」を射出成形するためには、製造型の工夫を凝らさなければならないから、「水平面（天端）出し補助具」を、非常にコストアップしたものとしてしまう。さらに、この「係合部７」は、「鉄筋把持部２」を開きにくくするものとも考えられるから、当該「鉄筋把持部２」の鉄筋への嵌合が困難になるのではないかとも考えられる。
【００１２】
さらに、特許文献３には、「異形棒鋼等のような形状が不均一な部材や、直径が異なる鉄筋にも確実に固定することができ、レベル設定の自由度が高い天端レベル管理具を提供する」を目的としてなされた「住宅基礎の天端レベル管理具」が提案されている。
【００１３】
この特許文献３の「住宅基礎の天端レベル管理具」は、「天端レベルの目印となるレベル設定用棒材７と、鉄筋３を両側から挟み込んで固定する対となる挟持部１５，１６およびレベル設定用棒材７の上下位置を調整して保持可能な保持部１７を有する固定部材８とを設け、挟持部１５，１６に、それぞれの掛止位置を調整可能な調整部１９を設ける」ものであり、これにより、「鉄筋３の外径が異なる場合であっても、また、寸法誤差が大きい異形棒鋼であっても、確実に固定することができ、レベル設定用棒材７が傾斜したり上下位置がずれたりすることを防止することができる。また、レベル設定用棒材７が固定部材８に上下位置を調整可能なので、固定部材８を固定した後に天端レベルを微調整することができる。」という機能を発揮するものである。
【００１４】
しかしながら、この特許文献３の「住宅基礎の天端レベル管理具」は、特に、「鉄筋３を両側から挟み込んで固定する対となる挟持部１５，１６」を素手によって挟み込むことは難しいものとなっており、「鉄筋３を両側から挟み込んで挟持部１５，１６を固定する」ことは事実上困難なものとなっている。
【００１５】
そして、この種の天端出し補助具は、鉄筋とともにコンクリート構造物内に埋設されてしまうものであり、かつ、水平面の目印とするために多数使用しなければならないものであるから、一個一個は単価の安いものにしなければならない。しかも、この種の天端出し補助具は、コンクリート構造物自体を構成するものではなくて、水平面の単なる目印とするものであるから、どこでも簡単に取り付けられるものでなければならない。
【００１６】
そこで、本発明者等は、この種の天端出し補助具について、取り付け作業がし易く、安価に提供するにはどうしたらよいか、について種々検討を重ねてきた結果、配筋された鉄筋の内の「縦筋」は、コンクリート構造物の広範囲に亘って、しかも略垂直状態で存在していること、しかもこの「縦筋」は施工現場に立設されたり横筋で補強されたりしていて、その上下位置が変化しにくいこと、に気付き、本発明を完成したのである。
【００１７】
すなわち、本発明の目的とするところは、縦筋に対するレベル表示具の取り付けと高さ調整が極めて容易に行えることは勿論、何処の縦筋に対してでも素手で簡単に取り付けることができて、その取り付け位置の調整も容易に行うことができ、構造を簡単にして安価に提供することもできる天端出し補助具を提供することにある。
【課題を解決するための手段】
【００１８】
以上の課題を解決するために、まず、請求項１に係る発明の採った手段は、後述する実施形態の説明中で使用する符号を付して説明すると、
「レベル表示具２０を縦筋嵌合部１１に形成した表示具取付部１２の穴１２ａに対して位置調整可能に取り付けて、レベル表示具２０によって天端位置を示すようにした天端出し補助具１０であって、
縦筋嵌合部１１に、コンクリート構造物を構成する縦筋３０が嵌合される縦筋取付部１１ａを形成するとともに、この縦筋取付部１１ａの側面に形成した開口１１ｂから、縦筋３０を嵌合し得るようにし、
端部１３ａが、表示具取付部１２の穴１２ａ内に対して陥没可能となるレベル表示具押え部１３を、表示具取付部１２の一部に形成したことを特徴とする天端出し補助具１０」
である。
【００１９】
この請求項１に係る天端出し補助具１０は、まず、レベル表示具２０を表示具取付部１２に対して位置調整可能に取り付けるようにしたものであり、このレベル表示具２０の生コンポインターもしくはレベラーポインターによって、生コンクリートもしくはレベラーの天端位置を示すようにしたものであって、その基本的機能の、以下に詳述する部分以外は、上記特許文献１または２のそれと同じである。
【００２０】
すなわち、この請求項１に係る天端出し補助具１０の第一の特徴は、コンクリート構造物を構成する縦筋３０が嵌合される縦筋取付部１１ａを有した縦筋嵌合部１１が表示具取付部１２に連接状態で一体的に形成してあることである。
【００２１】
縦筋３０は、コンクリート構造物を構築するための型枠内の略全域に亘って存在しているものであるから、当該天端出し補助具１０の取付場所、すなわち、レベル表示具２０の取付場所を選定するにあたっては、これらの縦筋３０を選択すればよいから相当自由に行える。また、縦筋３０は、略垂直に配筋されているから、この縦筋３０を縦筋取付部１１ａ内に収納するように当該天端出し補助具１０を設置すれば、表示具取付部１２に案内されているレベル表示具２０は略垂直方向に自然と向くことになる。勿論、この縦筋取付部１１ａ内には、特許文献１及び２におけるような、鉄筋のリブ（節２１ａ）と係合する「係合部７」は形成されていないのであるから、縦筋取付部１１ａへの縦筋３０の嵌合を行う際の、縦筋嵌合部１１の開きが容易に行えるだけでなく、当該天端出し補助具１０を縦筋３０に嵌合したまま、その上下方向位置についての微調整も容易に行える。
【００２２】
また、この請求項１に係る天端出し補助具１０の第二の特徴は、縦筋取付部１１ａの側面を、縦筋嵌合部１１に形成した開口１１ｂにて、縦筋３０に向けて開放させたことである。換言すれば、この天端出し補助具１０の縦筋３０に対する嵌合は、縦筋嵌合部１１の側方にて行うのであり、縦筋３０は作業者の手元の下側にあることが多いから、当該天端出し補助具１０の嵌合作業は、作業者が下を向いて行える、つまり自然な体勢で行えるのである。
【００２３】
以上の当該天端出し補助具１０の取付操作を順に纏めてみると、作業者は、縦筋嵌合部１１の開口１１ｂが縦筋３０に向くようにして当該天端出し補助具１０を手で持ち、型枠内の殆んど何処にでも配筋されている適宜な縦筋３０に、表示具取付部１２が一体化されている縦筋嵌合部１１を当接させる。そして、そのまま当該天端出し補助具１０を縦筋３０に向けて押し込めば、当該天端出し補助具１０は縦筋嵌合部１１の開口１１ｂにて縦筋３０に嵌め込まれて取付けられることになる。このとき、表示具取付部１２は、縦筋３０に取付けられた縦筋嵌合部１１に対してほぼ平行となっているから、この表示具取付部１２に取付けられたレベル表示具２０はほぼ垂直になるのである。
【００２４】
勿論、縦筋３０に嵌合された各天端出し補助具１０は、その表示具取付部１２に対して上下方向に位置調整されるレベル表示具２０を有しているのであるから、このレベル表示具２０によって、打設される生コンクリートや、その上のレベラーについての天端（表面）位置の規定を行うことになることは、従来技術のそれと同様である。
【００２５】
また、この請求項１に係る天端出し補助具１０については、端部１３ａが、表示具取付部１２に形成した穴１２ａ内に対して陥没可能となるレベル表示具押え部１３を、表示具取付部１２の一部に形成してある。
【００２６】
すなわち、この請求項１に係る天端出し補助具１０は、その表示具取付部１２にレベル表示具２０が挿入されるべき穴１２ａを形成したものであり、表示具取付部１２の一部にレベル表示具押え部１３を形成したものである。このレベル表示具押え部１３を形成するにあたっては、その端部１３ａと表示具取付部１２との間に、例えば図３及び図４の各（ｂ）に示すように、離間部１３ｂを積極的に形成しておき、当該レベル表示具押え部１３が表示具取付部１２に対して揺動可能となるようにしてある。そして、このレベル表示具押え部１３は、穴１２ａ内にレベル表示具２０が存在しない場合に、端部１３ａが穴１２ａ内に陥没した状態となるようにしてあるのである。
【００２７】
つまり、このレベル表示具押え部１３は、図３の（ｂ）に示すように、穴１２ａ内にレベル表示具２０が存在しない場合に、端部１３ａが穴１２ａ内に陥没しているものであり、穴１２ａ内にレベル表示具２０が挿入されてくると、このレベル表示具２０によって端部１３ａが穴１２ａの外側に押し出されようとし、レベル表示具２０の一部を弾発的に押圧するものである。
【００２８】
換言すれば、穴１２ａ内に挿入されたレベル表示具２０は、レベル表示具押え部１３によって穴１２ａの内壁に弾発的に押え付けられるのであり、レベル表示具２０はレベル表示具押え部１３によってガタ付きがないように穴１２ａに対して支持されるのである。
【００２９】
従って、この請求項１に係る天端出し補助具１０は、縦筋３０に対するレベル表示具２０の取り付けと高さ調整が極めて容易に行えることは勿論、何処の縦筋３０にでも素手で簡単に取り付けることができて、その取り付け位置の調整も容易に行うことができ、簡単に製造することもできて、しかも安価に提供することができるものとなっているのである。
【００３０】
また、この請求項１に係る天端出し補助具１０は、前述した機能を発揮する他に、レベル表示具２０をレベル表示具押え部１３によってガタ付きがないように穴１２ａに対して支持するものである。
【００３１】
上記課題を解決するために、請求項２に係る発明の採った手段は、上記請求項１に記載の天端出し補助具１０について、
「開口１１ｂの開口端縁の一方に、表示具取付部１２の一側面から縦筋３０を導入するための導入面１４ａを形成し、他方の開口端縁に、縦筋３０を案内する案内片１４ｂを形成したこと」
である。
【００３２】
上述した請求項１に係る天端出し補助具１０では、上記第一の特徴及び第二の特徴を有するものであったが、この請求項２に係る天端出し補助具１０では、上記第一の特徴及び第二の特徴に次ぐ、第三の特徴を有するものであり、この第三の特徴は、案内片１４ｂと導入面１４ａとを縦筋嵌合部１１に形成したことである。
【００３３】
まず、導入面１４ａから説明すると、この導入面１４ａは、図１の（ｂ）及び図３の（ａ）に示すように、開口１１ｂの開口端縁の一方、つまり、表示具取付部１２の一側面（図１の（ｂ）では図示下側面であり、当該縦筋嵌合部１１が一体化されている側の表示具取付部１２側の面）とほぼ同一の平面を構成するように形成したものである。これにより、当該天端出し補助具１０を縦筋３０に取付けるにあたって、作業者が当該天端出し補助具１０の表示具取付部１２の一側面を縦筋３０に当接させ、当該天端出し補助具１０をそのまま押し込めば、縦筋嵌合部１１の開口１１ｂは自然に縦筋３０に向かうことになる。
【００３４】
一方、案内片１４ｂは、開口１１ｂの、上記縦筋３０を導入するための導入面１４ａとは反対側の開口端縁に形成してあるから、図１の（ａ）及び（ｂ）に示すように、開口１１ｂに向かってきた縦筋３０を受け止めるとともに、この縦筋３０を開口１１ｂから縦筋取付部１１ａ内へと案内することになる。そこで、作業者が、当該天端出し補助具１０をさらに強く縦筋３０に向けて押し込めば、受けた力によって案内片１４ｂが外方に押し出され、結果的に当該縦筋嵌合部１１の開口１１ｂを拡開することになる。そうなれば、縦筋３０が、図１の（ａ）に示すように、縦筋嵌合部１１の縦筋取付部１１ａ内に完全に収納されるとともに開口１１ｂが閉じるから、当該天端出し補助具１０は縦筋３０に取付けられることになるのである。
【００３５】
以上の通り、この天端出し補助具１０は、レベル表示具２０と、このレベル表示具２０を上下位置調整可能に支持する表示具取付部１２と、この表示具取付部１２を縦筋３０に取り付けるための縦筋嵌合部１１とからなり、しかも、開口１１ｂの開口端縁の一方に、表示具取付部１２の一側面から縦筋３０を導入するための導入面１４ａを形成し、他方の開口端縁に、縦筋３０を案内する案内片１４ｂを形成した簡単な構成のものであり、例えば合成樹脂による一体成形を表示具取付部１２及び縦筋嵌合部１１について行える。このため、天端出し補助具１０全体として、非常に安価なものとすることが十分可能になっているのである。
【００３６】
従って、この請求項２に係る天端出し補助具１０は、上記請求項１のそれと同様な機能を発揮する他、更に簡単な構成のものとし得るのであり、非常に安価なものとすることが十分可能になっているのである。
【００３７】
また、請求項３に係る発明の採った手段は、上記請求項１または請求項２に記載の天端出し補助具１０について、
「レベル表示具２０を位置調整可能に挿通する表示具取付部１２の穴１２ａ内に、レベル表示具２０に形成したネジ山間に係合することになるレベル表示具係止突起１５を形成して、
レベル表示具２０を回転させたとき、レベル表示具係止突起１５を基点として、レベル表示具２０が螺進螺退可能となるようにしたこと」
である。
【００３８】
すなわち、この請求項３の天端出し補助具１０は、表示具取付部１２の穴１２ａにレベル表示具２０を進退可能に取付けるにあたって、穴１２ａをネジ穴にしなくても、つまり、単なる丸穴であっても、レベル表示具係止突起１５を形成しておくだけで、レベル表示具２０の表示具取付部１２に対する螺進螺退が可能となるようにしたものである。
【００３９】
穴１２ａ内に形成したレベル表示具係止突起１５は、図１、図２の（ｂ）、及び図３の（ｂ）に示すように、穴１２ａの軸心方向に対して僅かに傾斜した状態のものである。また、このレベル表示具係止突起１５は、図１の（ａ）に示すレベル表示具２０の各ネジ山間に入る程度の大きさで、かつ、その傾斜角度は、ネジ山の傾斜角度と同じにしたものである。このようなレベル表示具係止突起１５は、後述する実施形態で説明するような方法で、表示具取付部１２の穴１２ａ内に形成されるものであり、表示具取付部１２の穴１２ａが単なる丸穴であっても、表示具取付部１２に対するレベル表示具２０の螺進螺退を可能にするのである。
【００４０】
すなわち、このレベル表示具係止突起１５は、レベル表示具２０を穴１２ａ内に挿入して回転させたとき、レベル表示具２０のネジ山に係合するのであり、レベル表示具２０は、当該レベル表示具係止突起１５を基点として螺進螺退するのである。つまり、このレベル表示具係止突起１５が単なる丸穴である穴１２ａ内に形成してあるだけで、レベル表示具２０は表示具取付部１２に対して上下方向の位置調整が螺進螺退によってなされるのである。
【００４１】
従って、この請求項３に係る天端出し補助具１０は、上記請求項１または２のそれと同様な機能を発揮する他、穴１２ａが単なる丸穴であっても、レベル表示具係止突起１５を形成しておくだけで、レベル表示具２０の表示具取付部１２に対する螺進螺退を可能とするものである。
【発明の効果】
【００４２】
以上、説明した通り、本発明においては、
「レベル表示具２０を縦筋嵌合部１１に形成した表示具取付部１２の穴１２ａに対して位置調整可能に取り付けて、レベル表示具２０によって天端位置を示すようにした天端出し補助具１０であって、
縦筋嵌合部１１に、コンクリート構造物を構成する縦筋３０が嵌合される縦筋取付部１１ａを形成するとともに、この縦筋取付部１１ａの側面に形成した開口１１ｂから、縦筋３０を嵌合し得るようにし、
端部１３ａが、表示具取付部１２の穴１２ａ内に対して陥没可能となるレベル表示具押え部１３を、表示具取付部１２の一部に形成したこと」
にその構成上の主たる特徴があり、これにより、縦筋３０に対するレベル表示具２０の取り付けと高さ調整が極めて容易に行えることは勿論、何処の縦筋３０に対してでも素手で簡単に取り付けることができて、その取り付け位置の調整も容易に行うことができ、構造を簡単にして安価に提供することもできる天端出し補助具１０を提供することができるのである。
【００４３】
また、本発明に係る天端出し補助具１０は、上記効果を発揮する他、レベル表示具２０をレベル表示具押え部１３によってガタ付きがないように、穴１２ａに対して支持することができるものとなっているのである。
【図面の簡単な説明】
【００４４】
【図１】本発明に係る天端出し補助具１０を示すもので、（ａ）は縦筋３０に取付けた状態の斜視図、（ｂ）は平面図である。
【図２】同天端出し補助具１０を示すもので、（ａ）は左側面図、（ｂ）は正面図、（ｃ）は右側面図である。
【図３】同天端出し補助具１０の各部を拡大して示すもので、（ａ）は縦筋嵌合部１１のみの平面図、（ｂ）は表示具取付部１２の平面図である。
【図４】同天端出し補助具１０の表示具取付部１２の、図２の（ａ）に示した各位置での拡大横断面図を示すもので、（ａ）は５−５線部を、（ｂ）は６−６線部を、（ｃ）は７−７線部を、（ｄ）は８−８線部を、それぞれ示すものである。
【図５】本発明の実施例２に係る天端出し補助具１０を示すもので、縦筋３０に取付けた状態の斜視図である。
【発明を実施するための形態】
【００４５】
次に、上記のように構成した各請求項に係る発明を、図面に示した実施の形態である天端出し補助具１０について説明する。
【００４６】
まず、本発明に係る天端出し補助具１０は、合成樹脂を材料として一体的に成形したもので、例えば図１の（ａ）に示したような形態のものに別途形成したレベル表示具２０を、縦筋３０に対して取りつけるものであり、製造を容易にし、かつ安価なものに仕上げるようにしているのである。
【００４７】
なお、レベル表示具２０は、図１の（ａ）に示したように、その大部分にネジ山を形成した棒状のものであり、この上部に上から順に、レベラーの完成された上面のための目印となるレベラーポインター、及び型枠内に打設される生コンクリートの上面のための目印となる生コンポインターを形成したものである。なお、図示はしていないが、このレベル表示具２０の下端には、表示具取付部１２の穴１２ａに挿入できるようにするための差込部分が形成してある。
【００４８】
また、これらのレベル表示具２０は、全ての部分を合成樹脂で一体成形したものや、ネジ山部分だけ、あるいはネジ山と軸部分を金属材料によって形成したもの等、種々なものが考えられる。
【００４９】
また、本発明に係る天端出し補助具１０は、図１の（ａ）に示したように、生コンクリート等を打設するための空間を形作る型枠内に配筋された多数の縦筋３０の内の選択されたものに取り付けられるものである。縦筋３０に取付けられた各天端出し補助具１０については、これが有しているレベル表示具２０のレベラーポインター等が同一水平面内に位置するように、レーザー光線等を使用して各レベル表示具２０の位置調整がなされる。
【００５０】
各天端出し補助具１０におけるレベル表示具２０の位置調整が済めば、生コンポインターが示す位置まで生コンクリートが打設されるのであり、これが完了すれば、生コンクリートの表面にはレベラーポインターのみが露出する。次に、生コンクリート上にレベラーを打設するのであるが、この場合、レベラーポインターが指し示す位置まで打設が行われるのである。打設された生コンクリートやレベラーが硬化すれは、レベラーによって完全平面が形成されて、天端出し補助具１０が埋め殺されたコンクリート構造物が完成する。
【００５１】
型枠内に配筋された鉄筋としては、基本的には縦筋３０と横筋が採用されており、両種鉄筋は、例えば、コンクリート基礎の場合、殆ど何処にでも存在するものであり、またコンクリート構造物中に埋設されてしまうものである。特に、配筋完了後の縦筋３０は、その上端が上記生コン上面及びレベラーより下側に位置することになる筈であるし、しかも、下端を地面上に立設する等して高さが殆ど変化しないものであるから、本発明に係る天端出し補助具１０の取付場所とするのにうってつけのものとなっている。また、この縦筋３０は、配筋されたときには、殆ど垂直となる。
【００５２】
（実施例１）
図１〜図４には、本発明に係る天端出し補助具１０が示してある。この天端出し補助具１０は、図１及び図２に示したように、レベル表示具２０を縦筋嵌合部１１に形成した表示具取付部１２の穴１２ａに対して位置調整可能に取り付けて、レベル表示具２０によって天端位置を示すようにしたものである。また、縦筋嵌合部１１には、コンクリート構造物を構成する縦筋３０が嵌合される縦筋取付部１１ａが形成してあり、この縦筋取付部１１ａの側面に形成した開口１１ｂから、縦筋３０を嵌合し得るようにしたものである。さらに、この天端出し補助具１０は、表示具取付部１２の一部にレベル表示具押え部１３を形成したものであり、このレベル表示具押え部１３の端部１３ａを、表示具取付部１２の穴１２ａ内に対して陥没可能となるようにしたものである。
【００５３】
さて、縦筋嵌合部１１であるが、この縦筋嵌合部１１は、図１及び図２に示したように、その縦筋取付部１１ａの方向が上記表示具取付部１２の穴１２ａの方向に平行となるようにしたものであり、レベル表示具２０を垂直方向にすべく、表示具取付部１２及びその穴１２ａを垂直方向に配置したとき、当該縦筋嵌合部１１が垂直方向となるように表示具取付部１２に一体化したものである。この縦筋嵌合部１１の側部には、図１の（ａ）に示したように、縦方向、つまり縦筋３０と平行となるような開口１１ｂが形成してあり、この縦筋嵌合部１１の内部には、縦筋３０を収納して保持する縦筋取付部１１ａが形成してある。そして、開口１１ｂの開口端部の両側には、案内片１４ｂと導入面１４ａとが一体的に形成してある。
【００５４】
まず、導入面１４ａから説明すると、この導入面１４ａは、図１の（ｂ）に示したように、開口１１ｂの開口端縁の一方に形成したものであり、図２の（ｂ）に示したように、当該縦筋嵌合部１１の上下方向の全長に亘って形成したものである。この導入面１４ａは、図１の（ａ）に示したように、当該天端出し補助具１０を縦筋３０に取付けるにあたっての、表示具取付部１２の一側面から縦筋３０を導入するための、文字通り「導入面」を形成するものである。
【００５５】
すなわち、この導入面１４ａは、図１の（ａ）に示したように、開口１１ｂの開口端縁の一方、つまり、表示具取付部１２の一側面（図１の（ｂ）では図示下側面であり、当該縦筋嵌合部１１が一体化されている側の表示具取付部１２の側面）とほぼ同一の平面を構成するように形成したものである。これにより、当該天端出し補助具１０を縦筋３０に取付けるにあたって、例えば図１の（ａ）に示したように、作業者が当該天端出し補助具１０の表示具取付部１２の一側面を縦筋３０に当接させ、当該縦筋３０に向けて天端出し補助具１０をそのまま押し込めば、縦筋嵌合部１１の開口１１ｂは自然に縦筋３０に向かうことになる。
【００５６】
一方、案内片１４ｂは、開口１１ｂの、上記縦筋３０を導入するための導入面１４ａとは反対側の開口端縁に、当該縦筋嵌合部１１の全長に亘って形成したものであり、縦筋３０を縦筋取付部１１ａ内に案内するためのものである。すなわち、この案内片１４ｂは、開口１１ｂに向かってきた縦筋３０を受け止めるとともに、この縦筋３０を開口１１ｂから縦筋取付部１１ａ内へと案内するものである。つまり、当該天端出し補助具１０を縦筋３０に取付けるにあたって、作業者が当該天端出し補助具１０を強く縦筋３０に向けて押し込めば、受けた力によって案内片１４ｂが外方に押し出され、結果的に当該縦筋嵌合部１１の開口１１ｂを拡開する。そうなれば、縦筋３０が、図１の（ａ）に示したように、縦筋嵌合部１１の縦筋取付部１１ａ内に完全に収納されるとともに開口１１ｂが閉じることになるから、当該天端出し補助具１０を縦筋３０にしっかりと取付けることになるのである。
【００５７】
一方、表示具取付部１２は、本実施形態に係るものの場合、図１の（ｂ）に示したように、平面視略四角形状のもので、図１の（ａ）にも示したように、四角柱形状のものとなっている。この表示具取付部１２の中心には、レベル表示具２０を位置調整可能に取付けるための穴１２ａが形成してある。この穴１２ａは、表示具取付部１２等を合成樹脂の射出成形による成形時に同時成形するためと、レベル表示具２０を「ネジ形式」のものにするために、以下のように種々な工夫がしてある。
【００５８】
まず、この穴１２ａの基本的形態は、殆どストレートな穴としてあって、ネジであるレベル表示具２０のネジ山に応じた「ネジ溝」とはしていない。表示具取付部１２の射出成形によって、穴１２ａを「ネジ溝」とすることは、当該天端出し補助具１０の製造の型代や時間を増大させ、結果的に天端出し補助具１０全体のコストアップとなるからである。しかし、ネジ山を有するレベル表示具２０を使用することは、レベル表示具２０の位置調整を円滑に行えるようにするから、ネジ山に応じた穴１２ａとするために、本実施形態では、図１の（ｂ）等に示したように、穴１２ａの内面の一部分にレベル表示具係止突起１５を形成したのである。
【００５９】
レベル表示具係止突起１５は、図２あるいは図３の各（ｂ）等に示したように、レベル表示具２０に形成したネジ山間に係合することになる部分的な「ネジ山」にしたもので、平面視円弧状で、かつ側面視斜め線状のものである。そして、このレベル表示具係止突起１５がレベル表示具２０のネジ山に確実に歯合するようにするために、当該レベル表示具係止突起１５は表示具取付部１２のレベル表示具押え部１３に形成してある。
【００６０】
レベル表示具押え部１３は、表示具取付部１２の一部に形成されて、この表示具取付部１２の穴１２ａ内に端部１３ａが陥没可能となるようにしたものである。つまり、このレベル表示具押え部１３は、レベル表示具係止突起１５が形成されるべき部分と表示具取付部１２の他の部分との間に「離間部１３ｂ」を形成して、レベル表示具２０が挿入されないときに、その左端部分が、穴１２ａ内に僅かに陥没した状態となるようにしたものである。
【００６１】
このレベル表示具押え部１３が陥没状態にあれば、穴１２ａ内にレベル表示具２０が挿入されてきたとき、レベル表示具押え部１３の内面に形成してあったレベル表示具係止突起１５は、レベル表示具２０のネジ山に食い込むことになり、レベル表示具２０を穴１２ａ内面に強く押すことになる。換言すれば、このレベル表示具押え部１３は、レベル表示具２０のネジ山の外形が穴１２ａの内径より小さいときには、自身が穴１２ａ内に陥没していることによってレベル表示具２０を穴１２ａ内壁に押え付けるのであり、逆に、レベル表示具２０のネジ山の外形が穴１２ａの内径より大きいときには、自身が外方に撓んでレベル表示具２０の挿通を可能にするのである。
【００６２】
このようなレベル表示具押え部１３や、その内面に形成してあるレベル表示具係止突起１５を、表示具取付部１２に形成するには、四角柱状に形成してある表示具取付部１２の一側面の開口から、型の一部あるいはスライドコアを天端出し補助具１０内に挿入するような成形方を採用すればよい。なお、穴１２ａの他の部分も、表示具取付部１２の側面に形成した開口を利用することにより、同様に形成できる。
【００６３】
（実施例２）
図５には、本発明の実施例２に係る天端出し補助具１０が示してあるが、この実施例２に係る天端出し補助具１０においては、上記実施例１に係る天端出し補助具１０における各構成部材の殆どをそのまま踏襲しているものであるため、実施例１と共通する部材については、図面中に、実施例１で使用したのと同一符号を付すことによって、それらの詳細な説明を省略する。
【００６４】
この実施例２の、実施例１との差異は、表示具取付部１２に一体化した縦筋当接部１６を有していることである。この実施例２に係る天端出し補助具１０は、実施例１のそれと同様に、縦筋嵌合部１１にて任意の縦筋３０の上端部に取付け可能にした点は踏襲しているものである。
【００６５】
この実施例２で採用している縦筋当接部１６は、縦筋嵌合部１１上に一体化したものであり、かつ、縦筋嵌合部１１で保持される縦筋３０の上端側に向けて伸びたものである。この縦筋当接部１６は、当該天端出し補助具１０を縦筋３０に取り付けたとき、縦筋３０の上端に当接することにより、当該天端出し補助具１０の縦筋３０上端部に対する位置決定を行うものである。
【００６６】
すなわち、この縦筋当接部１６は、図５に示したように、当該天端出し補助具１０を縦筋３０に取付けた後に、縦筋３０の上端に当接されるのであるが、これによって、当該縦筋当接部１６は、縦筋嵌合部１１にての縦筋３０に対する天端出し補助具１０の位置ズレを阻止することになる。
【符号の説明】
【００６７】
１０    天端出し補助具
１１    縦筋嵌合部
１１ａ  縦筋取付部
１１ｂ  開口
１２    表示具取付部
１２ａ  穴
１３    レベル表示具押え部
１３ａ  端部
１４ａ  導入面
１４ｂ  案内片
１５    レベル表示具係止突起
１６    縦筋当接部
２０    レベル表示具
３０    縦筋
【図１】
2015168988.tif 000003
【図２】
2015168988.tif 000004
【図３】
2015168988.tif 000005
【図４】
2015168988.tif 000006
【図５】
2015168988.tif 000007